(57)【要約】【課題】レチクル回転止め機構の付け外しを容易に行うことができ、かつ光学系の調整を行う事態を防止することができる顕微鏡鏡筒を提供する。【解決手段】鏡筒本体１に固定筒２を固定し、当該固定筒２の固定中心軸線２ａに平行かつ固定筒２の固定中心軸線２ａからそれぞれ同じ距離に設けた２つの保持筒６，７を中心軸線２ａからの距離を変えずに移動可能に設け、さらに分岐した２つの光路がそれぞれ保持筒６，７の中心軸線に常に合致する光学系を配設した鏡筒部と、保持筒７の回転中心軸線７ａに対してレチクルを設けた面が垂直となるように当該回転中心軸線７ａ上にレチクル板を配置し、保持筒７の移動に際して回転中心軸線７ａ周りのレチクル板の向きを顕微鏡本体に対して保持する保持機構を一体化した形態で固定筒２および保持筒７に着脱可能に取り付けられるレチクル回転止めユニット２０とを備える。【選択図】        図１０
2008046388.tif 000002
【特許請求の範囲】
【請求項１】
鏡筒本体に固定筒を固定し、当該固定筒の中心軸線に平行かつ固定筒の中心軸線からそれぞれ同じ距離に設けた２つの保持筒の少なくとも一方を前記中心軸線からの距離を変えずに移動可能に設け、さらに前記固定筒の中心軸線に合致して入射させた光路を透過および反射させて分岐した２つの光路がそれぞれ保持筒の中心軸線に常に合致するように光軸の向きが維持された光学系を配設した鏡筒部と、
前記移動可能な保持筒の中心軸線に対してレチクルを設けた面が垂直となるように当該中心軸線上にレチクル板を配置し、保持筒の移動に際して前記中心軸線周りのレチクル板の向きを顕微鏡本体に対して保持する保持機構を一体化した形態で前記固定筒および移動可能な保持筒に着脱可能に取り付けられるレチクル回転止めユニットと
を備えたことを特徴とする顕微鏡鏡筒。
【請求項２】
前記レチクル回転止めユニットは、
固定筒の中心軸線に対して平行かつ所定間隔をおいて固定筒に配置される固定の第一軸と、
レチクル板を保持しつつ移動可能な保持筒の中心軸線周りに回転するように移動可能な保持筒に配置される回転部材と、
前記回転部材に設けてあって移動可能な保持筒の中心軸線に対して平行かつ前記所定間隔をおいて配置した第二軸と、
前記第一軸および第二軸を連結して前記第一軸と第二軸と固定筒の中心軸線と移動可能な保持筒の中心軸線とを結ぶ平行リンクをなす杆状の連結部材と
を有したことを特徴とする請求項１に記載の顕微鏡鏡筒。
【請求項３】
前記レチクル回転止めユニットは、
固定筒の中心軸線を中心として所定半径の円周に沿って固定筒に固定される第一周壁部と、
レチクル板を保持しつつ移動可能な保持筒の中心軸線周りに回転するように移動可能な保持筒に配置される回転部材と、
前記回転部材に設けてあって移動可能な保持筒の中心軸線を中心として前記所定半径の円周に沿って配置された第二周壁部と、
前記第一周壁部および第二周壁部を連結する連結部材と
を有したことを特徴とする請求項１に記載の顕微鏡鏡筒。
【請求項４】
前記レチクル回転止めユニットは、
固定筒の中心軸線を中心として所定半径の円周に沿って固定筒に固定される第一周壁部と、
レチクル板を保持しつつ移動可能な保持筒の中心軸線に垂直な面に沿って移動可能に設けてあり、移動可能な保持筒の中心軸線周りに回転するように移動可能な保持筒に配置された取付部に対して着脱可能に取り付けられる回転部材と、
前記回転部材に設けてあって移動可能な保持筒の中心軸線を中心として前記所定半径の円周に沿って配置された第二周壁部と、
前記第一周壁部および第二周壁部に巻き掛ける無端状の連結部材と、
前記連結部材に張力を付与する張力付与手段と
を有したことを特徴とする請求項１に記載の顕微鏡鏡筒。
【請求項５】
前記鏡筒部は、移動可能な保持筒の中心軸線周りに回転可能に配設されて前記回転部材が着脱可能に設けられた取付部を有し、
前記レチクル回転止めユニットを外した形態で前記取付部に対して取り付けられて移動可能な保持筒の中心軸線上で一方の接眼レンズを保持することで、分岐された他方の光路の光軸上で保持された他方の接眼レンズの光軸方向の位置に対して一方の接眼レンズの光軸方向の位置を揃えるアダプタを備えたことを特徴とする請求項２〜４のいずれか一つに記載の顕微鏡鏡筒。
【発明の詳細な説明】
【技術分野】
【０００１】
本発明は、双眼鏡筒を構成してジーデントップ型の眼幅調整機構を有した顕微鏡鏡筒に関するものである。
【背景技術】
【０００２】
顕微鏡鏡筒は、観察対象としての試料を載置するステージを有した顕微鏡本体に取り付けてあり、当該顕微鏡本体に設けた対物レンズから入射された観察光を、鏡筒自身に保持した接眼レンズに入射させ当該接眼レンズを介して人の眼に結像させる。顕微鏡鏡筒には、対物レンズから入射された光路を光学系によって２つに分岐させ、分岐した光路をそれぞれ接眼レンズに入射させて同じ像を両目で観察できるようにした双眼鏡筒がある。また、双眼鏡筒を構成する顕微鏡鏡筒においては、使用者の両目の間隔（眼幅）に合わせて接眼レンズの相互間の間隔を調整する眼幅調整機構を有している。眼幅調整機構には、ジーデントップ型のものがある。ジーデントップ型の眼幅調整機構は、光学系の光軸方向を維持することで２つの接眼レンズの光軸に分岐した光路を常に合致させつつ、接眼レンズをそれぞれ保持している保持筒を同一の中心からの距離を変えず公転移動させるものである。
【０００３】
一方、顕微鏡鏡筒において、接眼レンズ内の像面に、十字線や長方形などレチクルと称するラインが刻印されたガラス板からなるレチクル板が固定されているものがある。レチクルは、接眼レンズを通した視野内で観察対象と共に観察されるものであり、観察範囲の確認や観察対象の中心出しなどに用いられる。しかし、上記ジーデントップ型の眼幅調整機構によって接眼レンズの間隔を調整した場合、接眼レンズを通した視野内において観察対象に対してレチクルの向きが変わることになる。このため、例えば銀鉛カメラを用いて観察対象を撮影する場合には、接眼レンズを通したレチクルによって撮影範囲を確認しているが、観察対象に対してレチクルの向きが変わることでカメラの撮影範囲を確認することが困難になる。
【０００４】
そこで、従来では、双眼鏡筒を構成してジーデントップ型の眼幅調整機構を用いた顕微鏡鏡筒において、レチクル回転止め機構を設けたものがある。このレチクル回転止め機構では、接眼レンズが自身の光軸の周りに回転可能となるように保持筒に保持してある。そして、接眼レンズの回転中心から所定距離をおいて接眼レンズ側に配置した回転支承体と、接眼レンズの公転移動の中心から上記所定間隔をおいて配置した固定の回転支承体とをレバーによって連結することで、各回転支承体、接眼レンズの公転移動の中心、および接眼レンズの回転中心を繋ぐ平行リンクを構成している。この構成により、眼幅調整機構によって接眼レンズの眼幅調整を行った場合に、接眼レンズを通した視野内において観察対象に対するレチクルの向きを一定に保つ（例えば、特許文献１参照）。
【０００５】
また、従来、他のレチクル回転止め機構では、接眼レンズが自身の光軸の周りに回転可能に保持してある。さらに、接眼レンズの公転移動の中心に固定した固定軸と、当該固定軸と同径とした接眼レンズの外周部とにベルトを掛け、このベルトを固定軸および接眼レンズの外周部にそれぞれ固定して構成してある。この構成により、眼幅調整機構によって接眼レンズの眼幅調整を行った場合に、接眼レンズを通した視野内において観察対象に対するレチクルの向きを一定に保つ（例えば、特許文献２参照）。
【０００６】
【特許文献１】実開昭６０−３６６１８号公報
【特許文献２】実開昭５４−１１４９４８号公報
【発明の開示】
【発明が解決しようとする課題】
【０００７】
近年では、銀鉛カメラに代わってデジタルカメラが多く普及している。デジタルカメラでは、その撮影範囲をモニタに写して観察することができる。そして、モニタで撮影範囲を確認する場合には、レチクルによる撮影範囲の確認を行わないことからレチクル回転止め機構が不要となる。このように、レチクル回転止め機構が不要な場合では、レチクル回転止め機構が眼幅調整での接眼レンズの移動に関わって作用することから、接眼レンズの公転移動の負荷となるため、レチクル回転止め機構を取り外す要望がある。しかし、従来の顕微鏡鏡筒では、レチクル回転止め機構が顕微鏡鏡筒に予め組み込まれて構成してあることから、レチクル回転止め機構を取り外すには顕微鏡鏡筒を分解する必要があるためレチクル回転止め機構を容易に取り外すことはできない。また、レチクル回転止め機構を取り外すために顕微鏡鏡筒を分解した場合には、光学系の調整を伴うことになる。
【０００８】
ところで、レチクルおよびレチクル回転止め機構は、銀鉛カメラを用いて観察対象を撮影する以外に偏光観察において必要である。偏光観察で使用するポラライザは、顕微鏡本体におけるステージ下で光源からの光路上に回転可能に配置してあり、自身に設けてある目盛りが０°のときにポラライザを通過する光の波の振動方向を所定の方向に初期化する必要がある。通常では、接眼レンズを通した視野内におけるレチクルを顕微鏡本体の水平方向に合わせてポラライザの振動方向を初期化している。もし、偏光観察を行う際にレチクル回転止め機構がない場合には、眼幅調整によって観察対象を載置するステージに対するレチクルの向きが変わってしまうため、ポラライザの初期化した角度が動いてしまいポラライザの振動方向の基準が取れなくなってしまう。しかしながら、上述したようにレチクル回転止め機構が不要になったことで、顕微鏡鏡筒を分解してレチクル回転止め機構を取り外してしまった場合では、レチクル回転止め機構を元に戻すために顕微鏡鏡筒を再度分解する必要があるので容易にレチクル回転止め機構を取り付けることはできない。また、レチクル回転止め機構を取り付けるために顕微鏡鏡筒を分解した場合には、光学系の調整を伴うことになる。
【０００９】
本発明は、上記に鑑みてなされたものであって、レチクル回転止め機構の付け外しを容易に行うことができ、かつ光学系の調整を行う事態を防止することができる顕微鏡鏡筒を提供することを目的とする。
【課題を解決するための手段】
【００１０】
上述した課題を解決し、目的を達成するために、本発明の請求項１に係る顕微鏡鏡筒は、鏡筒本体に固定筒を固定し、当該固定筒の中心軸線に平行かつ固定筒の中心軸線からそれぞれ同じ距離に設けた２つの保持筒の少なくとも一方を前記中心軸線からの距離を変えずに移動可能に設け、さらに前記固定筒の中心軸線に合致して入射させた光路を透過および反射させて分岐した２つの光路がそれぞれ保持筒の中心軸線に常に合致するように光軸の向きが維持された光学系を配設した鏡筒部と、前記移動可能な保持筒の中心軸線に対してレチクルを設けた面が垂直となるように当該中心軸線上にレチクル板を配置し、保持筒の移動に際して前記中心軸線周りのレチクル板の向きを顕微鏡本体に対して保持する保持機構を一体化した形態で前記固定筒および移動可能な保持筒に着脱可能に取り付けられるレチクル回転止めユニットとを備えたことを特徴とする。
【００１１】
本発明の請求項２に係る顕微鏡鏡筒は、上記請求項１において、前記レチクル回転止めユニットは、固定筒の中心軸線に対して平行かつ所定間隔をおいて固定筒に配置される固定の第一軸と、レチクル板を保持しつつ移動可能な保持筒の中心軸線周りに回転するように移動可能な保持筒に配置される回転部材と、前記回転部材に設けてあって移動可能な保持筒の中心軸線に対して平行かつ前記所定間隔をおいて配置した第二軸と、前記第一軸および第二軸を連結して前記第一軸と第二軸と固定筒の中心軸線と移動可能な保持筒の中心軸線とを結ぶ平行リンクをなす杆状の連結部材とを有したことを特徴とする。
【００１２】
本発明の請求項３に係る顕微鏡鏡筒は、上記請求項１において、前記レチクル回転止めユニットは、固定筒の中心軸線を中心として所定半径の円周に沿って固定筒に固定される第一周壁部と、レチクル板を保持しつつ移動可能な保持筒の中心軸線周りに回転するように移動可能な保持筒に配置される回転部材と、前記回転部材に設けてあって移動可能な保持筒の中心軸線を中心として前記所定半径の円周に沿って配置された第二周壁部と、前記第一周壁部および第二周壁部を連結する連結部材とを有したことを特徴とする。
【００１３】
本発明の請求項４に係る顕微鏡鏡筒は、上記請求項１において、前記レチクル回転止めユニットは、固定筒の中心軸線を中心として所定半径の円周に沿って固定筒に固定される第一周壁部と、レチクル板を保持しつつ移動可能な保持筒の中心軸線に垂直な面に沿って移動可能に設けてあり、移動可能な保持筒の中心軸線周りに回転するように移動可能な保持筒に配置された取付部に対して着脱可能に取り付けられる回転部材と、前記回転部材に設けてあって移動可能な保持筒の中心軸線を中心として前記所定半径の円周に沿って配置された第二周壁部と、前記第一周壁部および第二周壁部に巻き掛ける無端状の連結部材と、前記連結部材に張力を付与する張力付与手段とを有したことを特徴とする。
【００１４】
本発明の請求項５に係る顕微鏡鏡筒は、上記請求項２〜４のいずれか一つにおいて、前記鏡筒部は、移動可能な保持筒の中心軸線周りに回転可能に配設されて前記回転部材が着脱可能に設けられた取付部を有し、前記レチクル回転止めユニットを外した形態で前記取付部に対して取り付けられて移動可能な保持筒の中心軸線上で一方の接眼レンズを保持することで、分岐された他方の光路の光軸上で保持された他方の接眼レンズの光軸方向の位置に対して一方の接眼レンズの光軸方向の位置を揃えるアダプタを備えたことを特徴とする。
【発明の効果】
【００１５】
本発明に係る顕微鏡鏡筒は、この結果、保持機構を一体化した形態で固定筒および移動可能な保持筒に着脱可能に設けたレチクル回転止めユニットを備えたことにより、鏡筒部に対してレチクル回転止め機構の付け外しを容易に行うことができる。さらに、レチクル回転止めユニットが保持機構を一体化してあるため、レチクル回転止めユニットの着脱の際に光学系の調整を行う事態を防止することができる。
【発明を実施するための最良の形態】
【００１６】
以下に添付図面を参照して、本発明の好適な実施の形態を詳細に説明する。なお、この実施の形態によりこの発明が限定されるものではない。
【００１７】
図１は本発明に係る顕微鏡鏡筒を示す斜視図、図２は図１に示す顕微鏡鏡筒の概略断面図である。本実施の形態における顕微鏡鏡筒は、観察対象としての試料を載置するステージを有した顕微鏡本体に取り付けてあり、当該顕微鏡本体に設けた対物レンズから入射された観察光を光学系によって２分割し、分割した観察光を２つの接眼レンズに入射させて同じ像を両目で観察できるようにした双眼鏡筒として構成してあり、さらに両眼の間隔である眼幅を調整可能に構成したジーデントップ型の眼幅調整機構を有したものである。
【００１８】
図１〜図３に示すように顕微鏡鏡筒は、箱状に形成した鏡筒本体１を有している。鏡筒本体１は、顕微鏡本体（図示せず）に取り付けられるものであって、その正面１ａに鏡筒部をなす固定筒２が固定してある。固定筒２は、一端が開口し他端が閉塞した筒状体を構成するもので、鏡筒本体１の正面１ａに一端が固定されて、他端が鏡筒本体１の正面１ａから延在するように設けてある。
【００１９】
固定筒２の筒内の一端側には、分割プリズム３が配置してある。分割プリズム３は、直角プリズム３Ａと平行プリズム３Ｂとを半透過膜３Ｃを介して接合したもので、対物レンズ（図示せず）から入射された観察光の光路を５０：５０に分岐するためのものである。この分割プリズム３は、図２に示すように正面方向に４５°傾いて設けた半透過膜３Ｃに対して正面方向に透過する第一光軸３ａと、当該半透過膜３Ｃにより第一光軸３ａから直角（図２における右方向）に反射しつつ、平行プリズム３Ｂによって第一光軸３ａと平行に正面方向に反射する第二光軸３ｂとを有している。また、固定筒２の筒内の他端側には、平行プリズム４が配置してある。この平行プリズム４は、第一光軸３ａに合致して正面方向から直角（図２における左方向）に反射しつつ、第一光軸３ａと平行に正面方向に反射する光軸４ａを有している。上記分割プリズム３および平行プリズム４は、分割プリズム３（平行プリズム３Ｂ）の右側正面方向に反射する第二光軸３ｂと、平行プリズム４の左側正面方向に反射する光軸４ａとが、第一光軸３ａに対して平行かつ第一光軸３ａに対してそれぞれ同じ距離に位置する光学系を構成している。
【００２０】
固定筒２の他端には、固定部５が設けてある。固定部５は、固定筒２の他端から正面方向に突出した円柱状に形成してあって、当該円柱状の中心となる固定筒２の固定中心軸線２ａを上記第一光軸３ａに合致するようにして固定筒２に設けてある。また、固定部５の周面には、ネジ穴５ａが設けてある。
【００２１】
また、上記固定筒２には、鏡筒部をなす２つの保持筒６，７が取り付けてある。各保持筒６，７は、接眼レンズ８，１２をそれぞれ保持するためのものであって、固定筒２の左右側部に配置してあり正面方向に延在する筒状に形成してある。
【００２２】
図２に示す左側の保持筒６の筒内には、上記平行プリズム４が固定してある。また、保持筒６の正面方向先端には、接眼レンズ８が着脱可能に保持してある。接眼レンズ８は、その光軸が平行プリズム４の左側正面方向に反射する光軸４ａに合致するように保持筒６に保持される。
【００２３】
また、保持筒６は、分割プリズム３の第一光軸３ａを中心とし、左側正面方向に反射する平行プリズム４の光軸４ａと第一光軸３ａとの間の距離を半径として、平行プリズム４および接眼レンズ８を伴って固定筒２に対して移動可能に設けてある。すなわち、保持筒６は、分割プリズム３、平行プリズム４および接眼レンズ８の各光軸を合致させた光学系の光軸方向が維持された形態で移動する。
【００２４】
図２に示す右側の保持筒７の筒内には、上記分割プリズム３が固定してある。保持筒７の筒内には、光路長補正レンズ９が、その光軸９ａを分割プリズム３（平行プリズム３Ｂ）の右側正面方向に反射する第二光軸３ｂに合致するように設けてある。この光路長補正レンズ９は、保持筒６側と保持筒７側との光路長（光学距離）を等しくするためのものである。
【００２５】
保持筒７の正面方向先端には、取付部１０が設けてある。取付部１０は、正面方向に延在する円筒状に形成してあって、当該円筒状の中心となる保持筒７の回転中心軸線７ａを上記第二光軸３ｂおよび光軸９ａに合致するように保持筒７に設けてある。さらに、取付部１０は、保持筒７に対して回転中心軸線７ａの周りに回転可能に設けてある。また、取付部１０の周面には、ネジ穴１０ａが貫通して設けてある。そして、ネジ穴１０ａに外側からネジ（図示せず）を螺合することによって取付部１０に対してアダプタ１１および接眼レンズ１２が取り付けられる。アダプタ１１は、図１〜図５に示すように取付部１０の周囲を覆うようにして取付部１０に対して着脱可能に取り付けられる。アダプタ１１は、取付部１０に取り付けられた状態で、その正面方向の端面が取付部１０の正面方向の先端位置を規定する。接眼レンズ１２は、その光軸が分割プリズム３（平行プリズム３Ｂ）の右側正面方向に反射する第二光軸３ｂおよび光路長補正レンズ９の光軸９ａに合致するように取付部１０に保持される。接眼レンズ１２は、図１および図２に示すようにアダプタ１１の正面方向の端面によって正面方向（光軸方向）での取り付け位置が規定された状態で保持されて取付部１０に取り付けられる。この接眼レンズ１２の取り付け位置は、保持筒６に取り付けた接眼レンズ８の正面方向（光軸方向）での取り付け位置に合致する。このように、アダプタ１１は、取付部１０と接眼レンズ１２との間に介在して接眼レンズ１２の正面方向（光軸方向）の取り付け位置を接眼レンズ８の取り付け位置に合わせるためのものである。
【００２６】
また、保持筒７は、分割プリズム３の第一光軸３ａを中心とし、右側正面方向に反射する第二光軸３ｂと第一光軸３ａとの間の距離を半径として、分割プリズム３、光路長補正レンズ９および接眼レンズ１２を伴って移動可能に設けてある。すなわち、保持筒７は、分割プリズム３、光路長補正レンズ９および接眼レンズ１２の各光軸を合致させた光学系の光軸方向が維持された形態で移動する。
【００２７】
このように、上記顕微鏡鏡筒は、分割プリズム３、平行プリズム４および光路長補正レンズ９によって、固定筒２の一端の開口を通して対物レンズ（図示せず）から入射した観察光の光路を当該光路に対して平行かつ当該光路に対してそれぞれ同じ距離となる２つの光路に分岐し、この分岐した光路を保持筒６，７にそれぞれ保持した接眼レンズ８，１２に対して同じ光路長で入射させる光学系を有した双眼鏡筒として構成してある。さらに、顕微鏡鏡筒は、上記光学系の光軸方向を維持しつつ、各保持筒６，７を固定中心軸線２ａとの距離を変えずに公転移動させることで、分岐した光路を観察光の光路の光軸を中心として公転移動させて、接眼レンズ８，１２の相互間の間隔を調整するジーデントップ型の眼幅調整機構を有している。
【００２８】
上述した構成の顕微鏡鏡筒には、本発明に係るレチクル回転止めユニットが着脱可能に取り付けられる。図６は本発明に係るレチクル回転止めユニットを正面側から視た斜視図、図７は本発明に係るレチクル回転止めユニットを背面側から視た斜視図、図８は本発明に係るレチクル回転止めユニットを上側から視た斜視図である。
【００２９】
図６〜図８に示すようにレチクル回転止めユニット２０は、一体化された保持機構として固定部材２１、回転部材２２および連結部材２３を有してなる。
【００３０】
固定部材２１は、上述した顕微鏡鏡筒の固定部５に着脱可能に固定されるものである。固定部材２１は、円柱状の固定部５の外周に嵌合する円環状部２１ａを有している。円環状部２１ａは、固定部５に嵌合することによって、円環状の中心軸線２１ｂが固定筒２における固定中心軸線２ａに合致する。また、円環状部２１ａの周壁には、固定部５のネジ穴５ａに合致して、当該ネジ穴５ａに螺合するネジ（図示せず）を挿通するための挿通穴２１ｃが設けてある。すなわち、固定部材２１は、挿通穴２１ｃに挿通したネジをネジ穴５ａに螺合することによって固定部５に固定される一方、ネジを外すことによって固定部５から取り外すことが可能になる。また、固定部材２１は、円環状部２１ａの径外方向に延在したフランジ部２１ｄを有している。このフランジ部２１ｄには、中心軸線２１ｂに平行かつ所定距離をおいた第一軸を構成する取付ピン２１ｅが取り付けられる。
【００３１】
回転部材２２は、上述した顕微鏡鏡筒の取付部１０に着脱可能に取り付けられるものである。回転部材２２は、筒状の取付部１０の外周に嵌合する円環状部２２ａを有している。円環状部２２ａは、取付部１０に嵌合することによって、円環状の中心軸線２２ｂが保持筒７における回転中心軸線７ａに合致する。また、円環状部２２ａの周壁には、取付部１０のネジ穴１０ａに合致して、当該ネジ穴１０ａに螺合するネジ（図示せず）を挿通するための挿通穴２２ｃが設けてある。すなわち、回転部材２２は、挿通穴２２ｃに挿通したネジをネジ穴１０ａに螺合することによって取付部１０に固定される。取付部１０に固定された回転部材２２は、取付部１０とともに回転中心軸線７ａ（および中心軸線２２ｂ）を中心にして回転することが可能になる。そして、回転部材２２は、ネジを外すことによって取付部１０から取り外すことが可能になる。また、回転部材２２は、円環状部２２ａの径外方向に延在したフランジ部２２ｄを有している。このフランジ部２２ｄには、中心軸線２２ｂに平行かつ所定距離をおいた第二軸を構成する取付ピン２２ｅが取り付けられる。
【００３２】
連結部材２３は、固定部材２１と回転部材２２とを連結するためのものである。連結部材２３は、杆状に形成してあり、その一端が取付ピン２１ｅ（第一軸）を介して固定部材２１に回転可能に取り付けてあり、他端が取付ピン２２ｅ（第二軸）を介して回転部材２２に回転可能に取り付けてある。この連結部材２３は、杆状の長さによって第一軸と第二軸との間の距離を、固定中心軸線２ａと回転中心軸線７ａとの間の距離に等しくなるように固定部材２１と回転部材２２とを連結している。
【００３３】
また、レチクル回転止めユニット２０は、固定部材２１の円環状部２１ａの正面側、および連結部材２３の正面側を覆うカバー部材２４を有している。このカバー部材２４は、回転部材２２とは別体であり、かつ取付ピン２２ｅが挿通することなく構成してある。
【００３４】
上述したレチクル回転止めユニット２０を鏡筒本体１に取り付ける手順を説明する。図９は本発明に係る顕微鏡鏡筒においてレチクル回転止めユニットを取り付けた状態を示す斜視図、図１０は図９に示す顕微鏡鏡筒の概略断面図、図１１は図９に示した顕微鏡鏡筒に接眼レンズを取り付けた状態を示す斜視図、図１２は図９に示す顕微鏡鏡筒を軸方向から視た図である。
【００３５】
まず、各保持筒６，７が互いに最も近づいた位置となるように、固定中心軸線２ａを中心に各保持筒６，７を移動させる。次いで、取付部１０のネジ穴１０ａからネジを外すことで接眼レンズ１２を保持筒７から外して図３に示す形態とし、さらにアダプタ１１を保持筒７から外して図４および図５に示す形態とする。このとき、接眼レンズ８も保持筒６から外してもよい。
【００３６】
次いで、図９および図１０に示すようにレチクル回転止めユニット２０における固定部材２１の円環状部２１ａを固定筒２の固定部５に嵌合し、挿通穴２１ｃに挿通したネジを固定部５のネジ穴５ａに螺合することで固定部材２１を固定筒２に固定する。さらに、レチクル回転止めユニット２０における回転部材２２の円環状部２２ａを、保持筒７の取付部１０に嵌合し、挿通穴２２ｃに挿通したネジを取付部１０のネジ穴１０ａに螺合することで回転部材２２を保持筒７に取り付ける。このとき、ネジ穴１０ａには、ネジを完全に締めずに回転部材２２を仮止めにしておく。その後、レチクルが刻印されたガラス板からなるレチクル板（図示せず）を接眼レンズ１２に取り付ける。レチクル板は、接眼レンズ１２の光軸に対して垂直となるように当該光軸上に配置される。そして、この接眼レンズ１２を図１１に示すように取付部１０に挿入する。
【００３７】
ここで、図には明示しないが顕微鏡本体における回転機構付きステージに対し、光学軸が基準面に平行な結晶標本である定方位板をセットする。次いで、ステージを回転させ、当該ステージの回転目盛りをゼロに合わせる。これにより、接眼レンズ８，１２を通した視野内で定方位板の基準面がほぼ水平になる。そして、接眼レンズ１２を取付部１０に対して回転させ、レチクルの向きを定方位板の基準面に対して平行に合わせる。次いで、ネジ穴１０ａに螺合したネジを完全締めて取付部１０および円環状部２２ａに対して接眼レンズ１２を固定する。その後、定方位板をステージから取り外す。これにより、レチクルの向きを顕微鏡本体に合わせることができる。
【００３８】
そして、偏光観察をする場合には、図には明示しないが顕微鏡本体におけるステージ下で光源からの光路上にセットし、その目盛りを０°に合わせる。さらに、顕微鏡本体における対物レンズと鏡筒本体１との間にアナライザをセットし、視野が真暗となるようにアナライザを回転させる。ここで、接眼レンズ８，１２を通した視野内におけるレチクルを基準とした顕微鏡本体の水平方向に合わせてポラライザの振動方向を初期化する。その後、例えば結晶などの観察対象をステージにセットして、その結晶方向がほぼ４５°になるようにレチクルを基準としてステージを回転させる。このとき、結晶方向の４５°と１３５°とで色が反転（黄−青）するので注意する。次いで、基準としている色が出るようにステージを回転させて微調整を行う。最後に、ステージの目盛りを読み取ってデータとする。
【００３９】
上記のごとく顕微鏡鏡筒に取り付けられたレチクル回転止めユニット２０は、固定部材２１を固定部５に固定することで、図１２に示すように固定部材２１における円環状部２１ａの中心軸線２１ｂが、固定筒２における固定中心軸線２ａに合致する。また、回転部材２２を取付部１０に取り付けることで、回転部材２２における円環状部２２ａの中心軸線２２ｂが、保持筒７における回転中心軸線７ａに合致する。そして、上述したように連結部材２３は、中心軸線２１ｂ（固定中心軸線２ａ）から所定距離の位置にある取付ピン２１ｅ（第一軸）と、中心軸線２２ｂ（回転中心軸線７ａ）から同じ所定距離の位置にある取付ピン２２ｅ（第二軸）との間の距離を、中心軸線２１ｂ（固定中心軸線２ａ）と中心軸線２２ｂ（回転中心軸線７ａ）との間の距離に等しくなるように固定部材２１と回転部材２２とを連結している。このため、図１２に示すように各軸に直交する同一平面上において、中心軸線２１ｂ（固定中心軸線２ａ）、中心軸線２２ｂ（回転中心軸線７ａ）、第二軸（２２ｅ）、および第一軸（２１ｅ）を直線で結んだ平行四辺形のリンクが画成されることになる。この結果、レチクル回転止めユニット２０を取り付けた顕微鏡鏡筒では、固定部材２１と回転部材２２とを連結部材２３によって上記平行四辺形の関係にして連結し、かつ回転部材２２が接眼レンズ１２を伴って中心軸線２２ｂ（回転中心軸線７ａ）を中心にして回転するように構成してあるため、眼幅を調整するために固定中心軸線２ａを中心に保持筒６，７を移動させても、接眼レンズ８，１２を通した視野内において鏡筒本体１に対してレチクルの向きを一定に保つことが可能になる。
【００４０】
なお、上述したようにレチクル回転止めユニット２０を顕微鏡鏡筒に取り付ける際には、各保持筒６，７が互いに最も近づいた位置となるように、当該保持筒６，７を移動させている。その理由としては、図１２で示す水平線に対して平行四辺形のリンクの角度ｒが、設計値から３０°以上外れてレチクル回転止めユニット２０が取り付けられた場合にリンクが作動しなくなるおそれがあるので、この事態を防ぐためである。
【００４１】
このように、上述した顕微鏡鏡筒は、保持機構（固定部材２１、回転部材２２および連結部材２３）を一体化した形態で固定筒２および保持筒７に着脱可能に設けたレチクル回転止めユニット２０を備えたことにより、鏡筒部に対してレチクル回転止め機構の付け外しを容易に行うことが可能になる。さらに、レチクル回転止めユニット２０が保持機構を一体化してあるため、レチクル回転止めユニット２０の着脱の際に光学系の調整を行う事態を防止することができる。
【００４２】
また、レチクルを用いずに観察を行う使用者には、レチクル回転止めユニット２０を付加しない顕微鏡鏡筒を提供すればよく、その一方で偏光観察などレチクルを用いた観察を行う使用者には、同じ顕微鏡鏡筒にレチクル回転止めユニット２０を付加して提供すればよい。
【００４３】
以下、レチクル回転止めユニットの別の実施の形態を説明する。図１３は本発明に係る別の実施の形態におけるレチクル回転止めユニットを正面側から視た斜視図、図１４は本発明に係る別の実施の形態におけるレチクル回転止めユニットを背面側から視た斜視図、図１５は別の実施の形態におけるレチクル回転止めユニットを鏡筒本体に取り付けた状態を示す斜視図である。
【００４４】
図１３および図１４に示すようにレチクル回転止めユニット３０は、一体化された保持機構として固定部材３１、回転部材３２および連結部材３３を有してなる。
【００４５】
固定部材３１は、上述した顕微鏡鏡筒の固定部５に着脱可能に固定されるものである。固定部材３１は、円柱状の固定部５の外周に嵌合する円環状部３１ａを有している。円環状部３１ａは、固定部５に嵌合することによって、円環状の中心軸線３１ｂが固定筒２における固定中心軸線２ａに合致する。また、円環状部３１ａの周壁には、固定部５のネジ穴５ａに合致して、当該ネジ穴５ａに螺合するネジ（図示せず）を挿通するための挿通穴３１ｃが設けてある。すなわち、固定部材３１は、挿通穴３１ｃに挿通したネジをネジ穴５ａに螺合することによって固定部５に固定される一方、ネジを外すことによって固定部５から取り外すことが可能になる。また、固定部材３１の外周には、中心軸線３１ｂを中心とした所定半径の円周に沿う周壁を有した第一周壁部３１ｄが設けてある。この固定部材３１は、背面側に開放するケース部材３４の収容凹部内に固定してある。
【００４６】
回転部材３２は、上述した顕微鏡鏡筒の取付部１０に着脱可能に取り付けられるものである。回転部材３２は、筒状の取付部１０の外周に嵌合する円環状部３２ａを有している。円環状部３２ａは、取付部１０に嵌合することによって、円環状の中心軸線３２ｂが保持筒７における回転中心軸線７ａに合致する。また、円環状部３２ａは、ケース部材３４を貫通してその正面側および背面側に表出して設けてあり、ケース部材３４に対して中心軸線３２ｂを中心として回転可能に支承してある。そして、ケース部材３４の正面側に表出した円環状部３２ａの周壁には、ネジ穴３２ｃが設けてある。このネジ穴３２ｃには、ネジ３２ｄが円環状部３２ａの周壁に貫通して螺合される。さらに、円環状部３２ａの内周には、接眼レンズ１２を当接させる当接面部３２ｅが設けてある。そして、当接面部３２ｅに接眼レンズ１２を当接させつつ、ネジ穴３２ｃにネジ３２ｄを螺合することで、円環状部３２ａの内周に突出したネジ３２ｄによって接眼レンズ１２が固定される一方、ネジ３２ｄを緩めることで接眼レンズ１２を円環状部３２ａから外すことが可能になる。また、ケース部材３４の背面側において回転部材３２の外周には、中心軸線３２ｂを中心として前記第一周壁部３１ｄと同じ所定半径の円周に沿う周壁を有した第二周壁部３２ｆが設けてある。
【００４７】
連結部材３３は、固定部材３１と回転部材３２とを連結するためのものである。連結部材３３は、金属ベルト、ワイヤなどを無端状に形成し、固定部材３１の第一周壁部３１ｄと回転部材３２の第二周壁部３２ｆとに巻き掛けて設けてあり、各周壁部３１ｄ、３２ｆに対してそれぞれネジなどで固定してある。
【００４８】
上述したレチクル回転止めユニット３０を鏡筒本体１に取り付ける手順を説明する。まず、各保持筒６，７が互いに最も近づいた位置となるように、固定中心軸線２ａを中心に各保持筒６，７を移動させる。次いで、取付部１０のネジ穴１０ａからネジを外すことで接眼レンズ１２を保持筒７から外して図３に示す形態とし、さらにアダプタ１１を保持筒７から外して図４および図５に示す形態とする。なお、接眼レンズ８も保持筒６から外してもよい。
【００４９】
次いで、図１５に示すようにレチクル回転止めユニット３０における固定部材３１の円環状部３１ａを固定筒２の固定部５に嵌合し、挿通穴３１ｃに挿通したネジを固定部５のネジ穴５ａに螺合することで固定部材３１を固定筒２に固定する。さらに、レチクル回転止めユニット３０における回転部材３２の円環状部３２ａを、保持筒７の取付部１０に嵌合することによって回転部材３２を保持筒７に取り付ける。その後、レチクルが刻印されたガラス板からなるレチクル板（図示せず）を接眼レンズ１２に取り付ける。レチクル板は、接眼レンズ１２の光軸に対して垂直となるように当該光軸上に配置される。そして、この接眼レンズ１２を図１５に示すように回転部材３２に挿入する。このとき、ネジ穴３２ｃは完全に締めず接眼レンズ１２を仮止めにしておく。
【００５０】
ここで、図には明示しないが顕微鏡本体における回転機構付きステージに対し、光学軸が基準面に平行な結晶標本である定方位板をセットする。次いで、ステージを回転させ、当該ステージの回転目盛りをゼロに合わせる。これにより、接眼レンズ８，１２を通した視野内で定方位板の基準面がほぼ水平になる。そして、接眼レンズ１２を回転部材３２に対して回転させ、レチクルの向きを定方位板の基準面に対して平行に合わせる。次いで、ネジ穴３２ｃに螺合したネジ３２ｄを完全に締めて回転部材３２に対して接眼レンズ１２を固定する。その後、定方位板をステージから取り外す。これにより、レチクルの向きを基準位置に合わせることができる。
【００５１】
そして、偏光観察をする場合には、図には明示しないが顕微鏡本体におけるステージ下で光源からの光路上にセットし、その目盛りを０°に合わせる。さらに、顕微鏡本体における対物レンズと鏡筒本体１との間にアナライザをセットし、視野が真暗となるようにアナライザを回転させる。ここで、接眼レンズ８，１２を通した視野内におけるレチクルを基準とした顕微鏡本体の水平方向に合わせてポラライザの振動方向を初期化する。その後、例えば結晶などの観察対象をステージにセットして、その結晶方向がほぼ４５°になるようにレチクルを基準としてステージを回転させる。このとき、結晶方向の４５°と１３５°とで色が反転（黄−青）するので注意する。次いで、基準としている色が出るようにステージを回転させて微調整を行う。最後に、ステージの目盛りを読み取ってデータとする。
【００５２】
上記のごとく顕微鏡鏡筒に取り付けられたレチクル回転止めユニット３０は、固定部材３１を固定部５に固定することで、図１６に示すように固定部材３１における円環状部３１ａの中心軸線３１ｂが、固定筒２の固定中心軸線２ａに合致する。また、回転部材３２を取付部１０に嵌合することで、回転部材３２における円環状部３２ａの中心軸線３２ｂが、保持筒７の回転中心軸線７ａに合致する。そして、連結部材３３は、固定部材３１の第一周壁部３１ｄと回転部材３２の第二周壁部３２ｆとに巻き掛けて各周壁部３１ｄ，３２ｆに対して固定してある。このため、保持筒７が固定中心軸線２ａを中心に移動すると、これに伴って回転部材３２が中心軸線３２ｂ（回転中心軸線７ａ）を中心に回転することで、保持筒７と回転部材３２のとの回転角度が等しくなる。この結果、レチクル回転止めユニット３０を取り付けた顕微鏡鏡筒では、眼幅を調整するために固定中心軸線２ａを中心に保持筒６，７を移動させても、接眼レンズ８，１２を通した視野内において鏡筒本体１に対してレチクルの向きを一定に保つことが可能になる。
【００５３】
このように、上述した顕微鏡鏡筒は、保持機構（固定部材３１、回転部材３２および連結部材３３）を一体化した形態で固定筒２および保持筒７に着脱可能に設けたレチクル回転止めユニット３０を備えたことにより、鏡筒部に対してレチクル回転止め機構の付け外しを容易に行うことが可能になる。さらに、レチクル回転止めユニット３０が保持機構を一体化してあるため、レチクル回転止めユニット３０の着脱の際に光学系の調整を行う事態を防止することができる。
【００５４】
また、レチクルを用いずに観察を行う使用者には、レチクル回転止めユニット３０を付加しない顕微鏡鏡筒を提供すればよく、その一方で偏光観察などレチクルを用いた観察を行う使用者には、同じ顕微鏡鏡筒にレチクル回転止めユニット３０を付加して提供すればよい。
【００５５】
ところで、ジーデントップ型の眼幅調整機構を有した顕微鏡鏡筒では、その組み立て時において、保持筒７における回転中心軸線７ａと、接眼レンズ１２の光軸とを合致させるために、接眼レンズ１２を取り付ける取付部１０を回転中心軸線７ａに垂直な面に沿って移動させる微調整を行っている。保持筒７における回転中心軸線７ａと、接眼レンズ１２の光軸とが合致していないと、固定中心軸線２ａを中心に保持筒７を移動させた場合に接眼レンズ１２を通して視る観察像の芯が動くことになる。すなわち、上記調整を行うことによって、固定中心軸線２ａを中心に保持筒７を移動させ場合に接眼レンズ１２を通して視る観察像の芯が動く事態を防ぐことができる。しかし、上記のごとく取付部１０を移動させると、固定中心軸線２ａと回転中心軸線７ａとの間の距離が変わるため、顕微鏡鏡筒ごとに固定中心軸線２ａと回転中心軸線７ａとの間の距離が異なることになる。この場合には、レチクル回転止めユニット３０の固定部材３１（円環状部３１ａ）の中心軸線３１ｂと、回転部材３２（円環状部３２ａ）の中心軸線３２ｂとが、固定中心軸線２ａと回転中心軸線７ａとに合致しなくなって、レチクル回転止めユニット３０を顕微鏡鏡筒に取り付けることができない、あるいはレチクル回転止めユニット３０の動作に支障をきたすおそれがある。
【００５６】
そこで上記別の実施の形態におけるレチクル回転止めユニット３０では、固定中心軸線２ａと回転中心軸線７ａとの間の距離の異なりに対応した構成を有している。ここでは、回転部材３２を中心軸線３２ｂに垂直な面に沿って移動できるように、ケース部材３４に対して例えば１ｍｍ程度移動可能に設けてある。そして、固定部材３１に回転部材３２が近接するように連結部材３３に対して張力を付与する張力付与手段を設けてある。
【００５７】
張力付与手段は、図１４に示すように固定部材３１と回転部材３２との間であって連結部材３３の近傍に設けてあり、偏心カム４１および弾性体４２を有している。偏心カム４１は、円柱状に形成してあって、その偏心した位置が回転軸となるようにケース部材３４に螺合された段付ネジ４３によって支承してある。段付ネジ４３は、中心軸線３１ｂ、３２ｂに平行な回転軸を構成している。すなわち、偏心カム４１は、段付ネジ４３を中心にして回転することで、その外周壁が連結部材３３に対して近接あるいは離間する方向に移動する。また、弾性体４２は、例えば圧縮バネからなり、ケース部材３４に固定したバネケース４４に収容してある。弾性体４２は、偏心カム４１の外周壁に当接しつつ弾性力によって当該偏心カム４１を連結部材３３側に押圧する。また、ケース部材３４において、偏心カム４１の対向位置には、連結部材３３を押圧する支持部４５が固定してある。この支持部４５は、連結部材３３を内方に押圧して位置させることで、連結部材３３の外方への張り出しを抑えてレチクル回転止めユニット３０全体の小型化を図るためのものである。
【００５８】
この張力付与手段によれば、弾性体４２による弾性力を伴って押圧された偏心カム４１によって連結部材３３に張力が付与される。このため、ケース部材３４に対して移動可能に設けられた回転部材３２には、固定部材３１に近接する方向に弾性付勢力が付与されることになる。この結果、レチクル回転止めユニット３０の固定部材３１（円環状部３１ａ）の中心軸線３１ｂと、回転部材３２（円環状部３２ａ）の中心軸線３２ｂとの間の距離を微調整することができるため、顕微鏡鏡筒ごとに固定中心軸線２ａと回転中心軸線７ａとの間の距離が異なっていても、レチクル回転止めユニット３０における中心軸線３１ｂと中心軸線２２ｂとの距離を、固定中心軸線２ａと回転中心軸線７ａの距離に合わせることができる。このため、レチクル回転止めユニット３０の動作に支障をきたすことなく、レチクル回転止めユニット３０を顕微鏡鏡筒に取り付けることが可能になる。なお、張力付与手段としては、上述した構成に限らず、例えば連結部材３３をゴムベルトなどの弾性体で構成してもよい。連結部材３３をゴムベルトで構成した場合には、偏心カム４１や弾性体４２などの構成が不要になる。
【００５９】
なお、上述した別の実施の形態において、連結部材３３は、固定部材３１の第一周壁部３１ｄと回転部材３２の第二周壁部３２ｆとに巻き掛ける無端状の構成に限らない。例えば、図には明示しないが第一周壁部３１ｄおよび第二周壁部３２ｆに噛合歯を設け、各噛合歯に噛み合う歯車である連結部材を設けることで、保持筒７と回転部材３２のとの回転角度が等しくなる。
【００６０】
なお、上述した全ての実施の形態において、レチクル回転止めユニット２０，３０は、右側の保持筒７側に係り取り付ける構成で説明したが、レチクル回転止めユニット２０，３０を左右対称の構成にすることにより、左側の保持筒６側に係り取り付けることも可能である。この場合、左側の保持筒６に取付部１０およびアダプタ１１を設け、左側の接眼レンズ８にレチクル板（図示せず）を取り付けるものとする。
【図面の簡単な説明】
【００６１】
【図１】本発明に係る顕微鏡鏡筒を示す斜視図である。
【図２】図１に示す顕微鏡鏡筒の概略断面図である。
【図３】接眼レンズを外した状態の顕微鏡鏡筒を示す斜視図である。
【図４】接眼レンズおよびアダプタを外した状態の顕微鏡鏡筒を示す斜視図である。
【図５】図４に示す顕微鏡鏡筒の概略断面図である。
【図６】本発明に係るレチクル回転止めユニットを正面側から視た斜視図である。
【図７】本発明に係るレチクル回転止めユニットを背面側から視た斜視図である。
【図８】本発明に係るレチクル回転止めユニットを上側から視た斜視図である。
【図９】本発明に係る顕微鏡鏡筒においてレチクル回転止めユニットを取り付けた状態を示す斜視図である。
【図１０】図９に示す顕微鏡鏡筒の概略断面図である。
【図１１】図９に示した顕微鏡鏡筒に接眼レンズを取り付けた状態を示す斜視図である。
【図１２】図９に示す顕微鏡鏡筒を軸方向から視た図である。
【図１３】本発明に係る別の実施の形態におけるレチクル回転止めユニットを正面側から視た斜視図である。
【図１４】本発明に係る別の実施の形態におけるレチクル回転止めユニットを背面側から視た斜視図である。
【図１５】別の実施の形態におけるレチクル回転止めユニットを鏡筒本体に取り付けた状態を示す斜視図である。
【図１６】図１５に示す顕微鏡鏡筒を軸方向から視た図である。
【符号の説明】
【００６２】
１    鏡筒本体
１ａ    正面
２    固定筒
２ａ    固定中心軸線
３    分割プリズム
３Ａ    直角プリズム
３Ｂ    平行プリズム
３Ｃ    半透過膜
３ａ    第一光軸
３ｂ    第二光軸
４    平行プリズム
４ａ    光軸
５    固定部
５ａ    ネジ穴
６    保持筒
７    保持筒
７ａ    回転中心軸線
８    接眼レンズ
９    光路長補正レンズ
９ａ    光軸
１０    取付部
１０ａ    ネジ穴
１１    アダプタ
１２    接眼レンズ
２０    レチクル回転止めユニット
２１    固定部材
２１ａ    円環状部
２１ｂ    中心軸線
２１ｃ    挿通穴
２１ｄ    フランジ部
２１ｅ    取付ピン
２２    回転部材
２２ａ    円環状部
２２ｂ    中心軸線
２２ｃ    挿通穴
２２ｄ    フランジ部
２２ｅ    取付ピン
２３    連結部材
２４    カバー部材
３０    レチクル回転止めユニット
３１    固定部材
３１ａ    円環状部
３１ｂ    中心軸線
３１ｃ    挿通穴
３１ｄ    第一周壁部
３２    回転部材
３２ａ    円環状部
３２ｂ    中心軸線
３２ｃ    ネジ穴
３２ｄ    ネジ
３２ｅ    当接面部
３２ｆ    第二周壁部
３３    連結部材
３４    ケース部材
４１    偏心カム
４２    弾性体
４３    段付ネジ
４４    バネケース
４５    支持部
【図１】
2008046388.tif 000003
【図２】
2008046388.tif 000004
【図３】
2008046388.tif 000005
【図４】
2008046388.tif 000006
【図５】
2008046388.tif 000007
【図６】
2008046388.tif 000008
【図７】
2008046388.tif 000009
【図８】
2008046388.tif 000010
【図９】
2008046388.tif 000011
【図１０】
2008046388.tif 000012
【図１１】
2008046388.tif 000013
【図１２】
2008046388.tif 000014
【図１３】
2008046388.tif 000015
【図１４】
2008046388.tif 000016
【図１５】
2008046388.tif 000017
【図１６】
2008046388.tif 000018